(57)【要約】【課題】  ケーブルのような細長い物体のための取付装置を提供する。【解決手段】  物体を取り囲むリングを形成することができ、閉じた状態で保持される緊締バンド（１）を有し、該緊締バンドを支持体に取り付けるための保持具（３０）が該緊締バンドとは別に設けられた、細長い物体、特にケーブル（２２）などのための取付装置において、該保持具（３０）がフィンガ（３７）を備え、その一端（３９）が、該ケーブル（２２）に面する該緊締バンド（１）の内側に達する。フィンガ（３７）の端部（３９）は、緊締バンド（１）の外側と接触状態にあるばね要素（４４）を有する保持具（３０）の領域と対向している。ロック（４２）は、フィンガ（３７）をその係合位置に固定する。緊締バンド（１）を取り付けた後に、保持具（３０）を複数の位置で該緊締バンド（１）に取り付けることができる。【選択図】          図８
2005124395.tif 000002
【特許請求の範囲】
【請求項１】
物体を取り囲むリングを形成することができ、閉じ状態に保持される緊締バンドを有し、前記緊締バンドを支持体に取り付けるための保持具が該緊締バンドとは別に設けられた、細長い物体、特にケーブルなどのための取付装置であって、該緊締バンドと前記保持具とが、該保持具及び／又は該緊締バンド上に構成された連結部を用いて、該緊締バンドに沿って配置された複数の取り付け位置において、互いに連結可能であることを特徴とする取付装置。
【請求項２】
前記保持具が、少なくとも１つのフィンガを備え、該フィンガの一端が、前記細長い物体に面する前記緊締バンドの内側の部分に達していることを特徴とする請求項１に記載の取付装置。
【請求項３】
前記フィンガの端部が、前記保持具のカムと対向して、前記緊締バンドに対する横方向のてこ作用を形成するようになったことを特徴とする請求項２に記載の取付装置。
【請求項４】
前記保持具が、支持領域の両側に、互いに鏡像関係で配置され、２つの側から前記緊締バンドの内側に達する傾斜したフィンガ端部を有する２つのフィンガを備えることを特徴とする前記請求項のいずれか１項に記載の取付装置。
【請求項５】
前記フィンガの傾斜した端部が端面を有し、前記保持具の支持領域から該端面までの距離が増加することによって、前記端面の間の距離が増加するように傾斜されたことを特徴とする請求項４に記載の取付装置。
【請求項６】
前記緊締バンドに面する前記保持具の支持領域が、ばね要素を備え、該緊締バンドが該保持具に取り付けられたとき、該ばね要素が該緊締バンドにより張られるようになることを特徴とする前記請求項のいずれか１項に記載の取付装置。
【請求項７】
前記請求項のいずれか１項に記載の取付装置のための緊締バンドであって、内側に、短い規則的な間隔で、前記緊締バンドの長さ方向に対して横方向に延びる凹部を有し、該凹部が前記保持具の少なくとも１つのフィンガ端部を収容することを特徴とする緊締バンド。
【請求項８】
請求項５又は請求項６のいずれかに記載の取付装置のための緊締バンドであって、広幅の方の平行側部が、前記緊締バンドの内側に配置される台形状断面を有することを特徴とする緊締バンド。
【請求項９】
前記請求項１から６までのいずれか１項に記載の取付装置のための緊締バンドであって、前記緊締バンドの横部における長さ方向縁の各々が、前記緊締バンドに沿って延びて、該緊締バンドの内側に面する延長部を有することを特徴とする緊締バンド。
【請求項１０】
前記凹部が、好ましくは前記緊締バンドの横方向縁の長方形段部により形成されることを特徴とする請求項８に記載の緊締バンド。
【請求項１１】
台形状断面を有し、前記断面の短い方の平行側部が、前記緊締バンドの内側に配置されることを特徴とする請求項８に記載の緊締バンド。
【請求項１２】
前記緊締バンドが、その外側に、アンダーカットをもつ縦方向溝を備え、前記保持具が、外側からアンダーカット付き縦方向溝に挿入して、その中に固定することができるＴ字形態の頭部を備えることを特徴とする請求項１に記載の取付装置。
【請求項１３】
外側にアンダーカットをもつ縦方向溝を備えることを特徴とする請求項１２に記載の取付装置のための緊締バンド。
【請求項１４】
前記緊締バンドが、その外側に突出する縦方向リブを有し、該リブが、ウェブと前記ウェブの外側端部に隣接する頭部ビードとからなり、前記保持具が、互いの方向に向けられた傾斜したフィンガ端部を有する２つのフィンガを備え、該フィンガが前記緊締バンドと前記頭部ビードとの間で、前記長さ方向リブのウェブを囲むことを特徴とする請求項１に記載の取付装置。
【請求項１５】
外側に配置され、そこから突出する縦方向リブが、ウェブと、前記ウェブの外側端部に隣接する頭部ビードとからなることを特徴とする請求項１４に記載の取付装置のための緊締バンド。
【発明の詳細な説明】
【技術分野】
【０００１】
本発明は、物体の周りに巻き付けるリングを形成することができ、閉じ状態で保持される緊締バンドを有し、該バンドを支持体に取り付けるための該緊締バンドとは別の保持具を有する、細長い物体、特にケーブルなどのための取付装置に関する。
【背景技術】
【０００２】
この種の特定の取付装置は、主として、ケーブルツリーを車両に取り付けるのに適している。今日の車両は、幾多の電子部品を含む。これらの部品には電力が供給されねばならず、これらの部品の多くは相互に関連した機能を有し、したがって、互いに接続されねばならない。これらの理由から、車両には、ケーブルツリーに組み合わされ、次いで、独立した部品として車両に取り付けられる大規模な電気ケーブル配線が必要である。ここで、ケーブルツリーは、規定通りに配向され、固定されることが重要である。また、取り付け工程は、可能な限り迅速且つ単純に行われるべきである。
【０００３】
特開平０９−１５９０６１号に開示される、ケーブルツリーを取り付けるための取付装置は、ロックがその一端に配置された緊締バンドからなり、この中に、該バンドの他端を挿入することができ、且つあらゆる緊締位置に固定することができる。ロックフィンガをもつ保持目穴が、同様に張力ロック上に配置されており、取り付け位置にあるねじ付きスタッド上に置くことができる。この公知の取付装置が、予め製造されたケーブルツリーを形成するために用いられる場合には、その後に、該取付装置を該ケーブルツリーに対する正しい取り付け位置に回転させることは、もはや実現可能ではないか、又は困難を伴うものになるため、該取付装置を該ケーブルツリー上の正確に定められた角度方向の位置に配置しなければならないという問題がある。また、取付装置をケーブルツリーに配置した後には、保持目穴がそこから突出する。このことは、ケーブルツリーの形成においても、該ケーブルツリーの取り付けにおいても妨げとなり、特に後者が車体における開口部を通して、さらに押し込まれねばならない場合に妨げになる。
【０００４】
米国特許第５，１１２，０１３号は、保持具と緊締バンドとが互いに分離した特定の種類の取付装置を開示する。２つの部品を互いに連結するために、緊締バンドは、その長さ方向に対して横方向に延びるシューを備え、該シューは、保持具に形成されたアンダーカット付き溝の中に挿入することができ、前述の溝において長さ方向に滑らせて、許容誤差を補償することができる。保持具には、支持部品の穴に挿入可能なプラグが形成される。ケーブルツリーを支持部品に取り付ける前に、保持具は緊締バンドのシューに置かれ、穴に嵌まるように軸方向に配向される。その後、プラグを支持部品の穴の中に押し込むことにより、取り付けが完了する。この取付装置の場合においても、緊締バンドの取り付け後には、該緊締バンドはケーブルツリーに対して移動させられないために、該緊締バンドは、該ケーブルツリーに配置されるときに、良好に定められた角度方向回転位置に置かれなければならない。
【発明の開示】
【発明が解決しようとする課題】
【０００５】
本発明の目的は、細長い物体上の単純な取付装置構成を可能にし、この目的のために形成された支持体に該細長い物体を単純に取り付けることを可能にする最初に述べられた種類の取付装置を形成することである。
【課題を解決するための手段】
【０００６】
この目的は、本発明による特定の種類の取付装置の場合においては、緊締バンドと保持具とが、該緊締バンドに沿って配置された幾多の取り付け点において、該保持具及び／又は該緊締バンド上に構成された連結手段により、互いに連結可能であることにより達成することができる。
【０００７】
本発明により、複数の取り付け位置において、保持具を緊締バンドに連結することができる特定の種類の取付装置が形成され、取り付け時の各々の状況において、好適な取り付け位置が可能になる。したがって、緊締バンドをケーブルに締結する際に、該緊締バンドを周方向に予め配向することは必要ではない。緊締バンドの取り付け後には、適用例に応じ、保持具をまず緊締バンドに連結してから支持体に取り付けてもよいし、又は、まず支持体に取り付けてから緊締バンドに取り付けてもよいため、単純に、該緊締バンドが周りに巻き付けられたケーブルツリーを取り付けることが可能になる。本発明による緊締バンドには、高価な保持手段が設けられていないため、特に経済的な方法により、これを形成することができる。ロールから繰り出されて或る長さに切断された緊締バンドもまた、互いに連結されて、本発明による取付装置を形成することができる。この最後のものは、緊締バンドの自動的な取り付けに、特に有益である。
【０００８】
本発明の有利な実施形態は、保持具が、部分的に又は完全に、細長い物体に面する緊締バンドの内側の一端に重なる少なくとも１つのフィンガを備える。フィンガの端部は、保持具の或る領域と対向して、緊締バンドの外側に対するてこ作用を形成する。この形態は、通常の緊締バンドを用いることができるという利点を有する。この実施形態においては、緊締バンドと取り付けられた物体との間のフィンガのための間隙は、該緊締バンドを該物体上に緩く取り付けることにより形成することができ、該緊締バンドは、原則として、保持具を取り付けた後に締め付けることが必要になる。
【０００９】
本発明の別の有利な実施形態は、緊締バンドがその内側に、規則的な短い間隔で、該緊締バンドの長さ方向に対して横方向に延び、物体がしっかりと巻き付けられた後に、保持具のフィンガ端部を収容する開口部を形成する大きさに寸法決めされた凹部を有する。この場合には、緊締バンドは、取り付け後、直ちにケーブルなどの物体に対してしっかりと固定されることになる。
【００１０】
本発明の別の提案においては、保持具は、支持領域の両側に、互いに鏡像関係で配置され、両側から緊締バンドの内側まで達する屈曲されたフィンガ端部を有する２つのフィンガを備える。この形態は、より大きな保持力という利点を有し、具体的には、より大きな屈曲モーメントを保持具と緊締バンドとの間の連結点に伝達できるという利点を有する。また、緊締バンドは、取り付けられた物体の長さ方向の範囲に対して横方向に向けられた運動により、保持具に連結することができる。このような組み立て作業の助けにするために、フィンガの屈曲された端部は、保持具の支持領域から端面までの距離が増加するに従って、該端面の間の距離が増加するように傾斜された端面を有するように形成することができる。これの代わりに又はこれに加えて、広い方の平行側部が該緊締バンドの内側に配置されるようにした台形状断面を有するように緊締バンドを構成することができる。述べられたフィンガ端部の端面及び／又は緊締バンドの断面形状の形態により、該フィンガ端部は、該緊締バンドが保持具に対して押し付けられたときに広がって離れ、これらが該緊締バンドの側面を越えて滑り、最終的に、該緊締バンドの内側を囲むようになる。
【００１１】
代替的に、保持具のフィンガ端部の係合に必要な間隙は、本発明のさらに別の提案により形成することができ、ここでは、緊締バンドの長さ方向の側縁が、該緊締バンドに沿って延び、その内側に面する凹部を有する。この凹部は、緊締バンドの側縁の好ましくは長方形段部により形成することができる。小さい保持力しか要求されていない場合には、フィンガ端部の係合のための間隙は、緊締バンドの台形状断面により形成することができ、該断面のより短い平行な側部は、該緊締バンドの内側に配置される。
【００１２】
本発明のさらに別の提案は、緊締バンドに面する保持具の支持領域が、該保持具に締結されたときに、該緊締バンドにより巻き上げられるばね要素を備えるものとする。このようにして、ばね張力により、遊びのない連結状態が緊締バンドと保持具との間に達成される。
【００１３】
本発明の別の有利な実施形態においては、緊締バンドは、その外側に、アンダーカット付きの長さ方向溝を有するものとすることができ、この中に、保持具のＴ字形態の頭部を外側から挿入して、その中に固定することができる。
【発明を実施するための最良の形態】
【００１４】
本発明は、例として図面に表された実施形態に関して、以下にさらに説明される。
【００１５】
図１は、本発明による取付装置の形成に適した通常の形態の緊締バンド１を示す。緊締バンド１は、長方形断面の可撓性ストリップからなり、張力に耐えるの、具体的には合成材料で製造される。緊締バンド１は、保持されるべき物体の周りに巻き付けられることが可能な内側２において、少なくともその長さの一部にわたって、鋸状歯３を備える。緊締バンド１の外側４は滑らかである。緊締バンド１は、その一端に、開口部６を有するロック５を備える。開口部６には、ロック歯７が配置される。緊締バンド１の反対側の端部８は、ロック５への挿入が可能になる点まで先細にされる。
【００１６】
例えば、ケーブルへの取り付けのためには、緊締バンド１はケーブルの回りに置かれ、その後、端部８がロック５の開口部６に通される。次に、端部８が開口部６から突出すると、緊締バンド１の端部がロック５を通り、ケーブル上で緊密に閉じるまで引き込まれる。緊締の過程において、ロック歯７は、これを通って移動する待歯３の歯をスキップする。反対方向においては、ロック歯７は歯３と係合し、このようにして、緊締バンド１を、ロック５において得られた張力位置にしっかりと保持する。
【００１７】
図２及び図３は、緊締バンド１をプラットフォーム支持体に取り付けることを意図する保持具１０を示す。保持具１０は、長さ方向に湾曲した長方形フランジ１１を備え、その狭い方の端部には張り出しリブ１２が設けられ、該フランジ１１の湾曲部１３の凹状面を通り越すようになっている。湾曲部１３の表面の中心においては、これに対して垂直なピン１４があり、その独立した端部には２つのばねロックフィンガ１５が配置され、該湾曲部の表面の方向に、該ピン１４の両側に鏡像構成で延びるようになっている。ロックフィンガ１５の各々には、その外側に段部が設けられており、フランジ１１に面するロック表面１６を形成する。
【００１８】
凸状に湾曲した側においては、フランジ１１は、該フランジ１１と同じ幅を有する２つのフィンガ１７を備え、該フィンガ１７は、フランジ１１から突出し、該フランジの中心の両側に、互いに並行した鏡像関係で配置される。フィンガ１７の間には、平坦な接触面１８がある。接触面１８の高さにおいては、フィンガ１７は互いに、保持されるべき緊締バンド１の幅とほぼ適合する距離をもっている。フィンガ１７は、鋸歯状形態の長方形に屈曲された端部１９を有し、接触面１８に面する保持面２０を形成する。フィンガ端部１９の相互に対向する端面２１は互いに対して傾斜され、該端面２１の間の距離は、接触面１８からの距離が増加するに伴って増加する。
【００１９】
図４及び図５においては、ケーブル２２が、述べられた取付装置を用いて、どのようにプラットフォーム支持体に取り付けられるかが示されている。緊締バンド１が、独立した組み立て工程により、ケーブル２２の周りに通され、該ケーブル２２を緩やかに囲むリングを形成するように閉じられる。保持具１０は、まず取り付けられた緊締バンド１に取り付けられてから支持体２３に取り付けられてもよいし、又はまず支持体２３に取り付けられてから緊締バンド１に取り付けられてもよい。保持具１０を緊締バンド１に連結するためには、該緊締バンド１の外側長さ方向縁がフィンガ端部１９の端面２１に触れるように、該保持具１０のフィンガ１７が該緊締バンド１に適用される。次に、保持具１０と緊締バンド１とが互いに押し付けられ、該緊締バンド１は端面２１を越えて滑り落ち、それにより、フィンガ端部１９を十分に押し付けて離し、これらの間を通ってフィンガ１７の間の間隔の中に入れるようになる。緊締バンド１がフィンガ１７の間の間隔に配置されると直ちに、フィンガはその最初の位置に弾性的に戻り、これらの端部１９は緊締バンド１の内側に達する。これらの保持面２０によって、フィンガ端部１９は緊締バンド１を、得られた位置において、保持具１０に対してしっかりと保持する。
【００２０】
支持体２３に取り付けるためには、ロックフィンガ１５をもつ保持具１０が、支持体２３に設けられた組立体開口部の中に置かれる。組立体開口部は、保持具１０が挿入されたときに、ロックフィンガ１５が互いに一体に押し付けられるような大きさに寸法決めされる。保持具１０は、組立体開口部の中に深く押し込まれて、フランジ１１のリブ１２が支持体２３としっかり接触するようになり、ロックフィンガ１５のロック面１６は、支持体２３の背面における組立体開口部から出て、本来の位置に完全に又は部分的に弾性的に戻る。したがって、ロック面１６は支持体２３の背面と係合関係になり、保持具１０を組立体開口部内にしっかりと保持する。この組み立て工程においては、フランジ１１は、支持体２３と接触するように押し付けられることにより、同様に、板ばねのように弾性的に変形され、したがって、保持具１０と該支持体２３との間に緊密なインターロックを与える。
【００２１】
述べられた組み立て工程により、ケーブル２２は、図５に示すように、支持体２３に連結される。緊締バンド１は、初めは、単にケーブル２２の周りに緩く通されて、該緊締バンド１と該ケーブル２２との間に、フィンガ端部１９を係合するのに十分な間隙を作るようにするのに過ぎなかったが、保持具１０の組み立ての後では、該緊締バンド１は、これを端部８で引っ張ることにより、固く締めることができ、したがって、該ケーブル２２、該緊締バンド１、及び該保持具１０の間に十分にしっかりとした連結が達成される。
【００２２】
図６に例として示される実施形態においては、緊締バンド１０１は、台形状断面を有し、該台形状断面の短い方の平行な側部が、該緊締バンド１０１の内側１０２に配置される。緊締バンド１０１の側面１０９の各々は、内側１０２と約１３５°の角度を形成する。緊締バンド１０１のこの断面形状によって、側面１０９にアンダーカットが形成されて、対応して成形された保持具１０のフィンガ１７の端部１９と係合するのに役立つ。
【００２３】
図６に例として示される実施形態においては、フィンガ１７の間の間隔にある保持具１０は、弓状の板ばねの形で、取り付けられた位置においては、緊締バンド１０１の外側１０４に当接し、該緊締バンド１０１を保持具１０に対してしっかりと固定するばね要素２４を備える。
【００２４】
図７に例として示される実施形態においては、保持具１０は、凹部２１０を有する緊締バンド２０１と組み合わされており、該緊締バンド２０１の横方向縁における長方形段部により形成されたこの凹部は、該緊締バンド２０１の横方向の長さ方向縁の各々の内側２０２において、該緊締バンド２０１に沿って延びている。２つの凹部２１０は、保持具１０の長方形に屈曲されたフィンガ端部１９がその中に納まるのに十分に広く且つ高さをもって寸法決めされる。このようにして、凹部２１０は、緊締バンド２０１が保持されるべきケーブル２２の周りにしっかりと張られたとしても、フィンガ端部１９に対してアクセス可能なまま残る。したがって、緊締バンド２０１は、保持具１０を取り付けるために緩められる必要はない。同様のことが図６の緊締バンド１０１にも適用される。
【００２５】
図８は、皿状のフランジ３１と、各々が３つのロック面３６を有して、保持具３０を支持体の穴に固定する役割を果たす複数のロックフィンガ３５とを有する保持具３０を示す。ロックフィンガ３５から離れた側においては、そこから突出するフィンガ３７がフランジ３１に取り付けられ、長方形に屈曲したフィンガ端部３９はフランジ３１に対してほぼ平行に延びている。フィンガ端部３９には、該フィンガ端部３９を、ケーブル２２とこれを囲む緊締バンド１との間の間隔に挿入するのを可能にすることが意図された斜めの端面４１が設けられている。フィンガ端部３９の端部分とフランジ３１の間には、該フランジ３１上に、端面４１に対して反対側に傾斜された端面４３を有するカム４２がある。フィンガ端部３９からカム４２までの距離は、保持具１０と協働する緊締バンド１の厚さより小さい。フィンガ３７からは、カム４２は、緊締バンド１の幅と同じであるか又はそれ以上の距離を有する。フィンガ３７とカム４２との間には、さらに、板ばねとして構成されたばね要素４４がある。
【００２６】
図８から見てとれるように、フィンガ端部３９をもつ保持具３０が、緊締バンド１の内側とケーブル２２との間に、空けられたままの間隔に挿入され、該フィンガ端部３９の弾性的な変形により、該緊締バンド１は、カム４２上に滑り落ちる。図示される最終的な取り付け位置においては、フィンガ端部３９は、緊締バンド１と接触状態にある横方向カム４２により、自然に緩められることに対抗して固定されながら通り、緊締バンド１の内側に到達する。さらに、保持具３０は、緊締バンド１の外側において、ばね要素４４によって支持される。
【００２７】
フィンガ端部３９は、完全に緊締バンド１を通り越すために、図１に示されるように、保持具３０を緊締バンド１の構成と取り付けることは、該緊締バンド１がまだケーブル２２をしっかりと囲んでいない場合にのみ可能である。保持具３０を取り付けた後で、緊締バンド１をケーブル２２上にしっかりと張ることができる。
【００２８】
図９は、保持具３０を取り付ける前でも、ケーブルの周りにしっかりと張ることができる緊締バンド３０１の実施形態を示す。その内側３０２において、緊締バンド３０１は、その内側３０２に規則的な間隔で、緊締バンド３０１の幅にわたり横方向に延びる凹部３１０を含み、これらの断面寸法は、ケーブルの周りに巻いた後でも、フィンガ端部３９の挿入又は通過のために十分に大きい開口部を形成するような大きさになっている。凹部３１０の間隔は、かなり密接することがあるため、この緊締バンドの実施形態においては、さらに、各場合において、好適に配向された保持具の取り付けに対して、十分に大きな数の締結位置を実現することができる。
【００２９】
図１０は、外側４０４に縦方向溝４１０をもつ緊締バンド４０１を有する取付装置の例を示す。縦方向溝４１０には、該縦方向溝４１０の側壁４１２の長方形断面の凹部４１１により形成されたアンダーカットが設けられる。縦方向溝４１０は、外方に広がる断面形状を有する入口開口部４１３を備える。
【００３０】
緊締バンド４０１は、頭部プレート４６とシャンク４７とからなるＴ字形態の頭部４５を有する保持具４０を用いて取り付けられる。頭部プレート４６は、頭部４５の端部に向かって下方に先細になった、平らな円錐台形状であり、その最大寸法は、アンダーカット付近の緊締バンド４０１における縦方向溝４１０の幅と適合する。頭部プレート４６の厚さは、凹部４１１の幅と同じであるか又はそれより小さい。
【００３１】
頭部プレート４６は、丸い形状の代わりに、代替的に、例えば長方形又は正方形といった多角形の形状を有することができ、この場合には、一方向の寸法は、縦方向溝４１０のアンダーカットの幅より大きいものであってはいけない。
【００３２】
緊締バンド４０１を保持具４０と連結するためには、頭部４５は、頭部プレート４６を先にして、該緊締バンド４０１の縦方向溝４１０のアンダーカットの入口開口部４１３を通して押し込まれる。この工程においては、頭部プレート４６の側壁４１２は、一時的に屈曲されて離される。頭部プレート４６が入口開口部４１３を通過すると直ちに、側壁４１２は、最初の位置に弾性的に戻り、該頭部プレート４６は凹部４１１と係合して、したがって、縦方向溝４１０の中にしっかりと保持される。
【００３３】
図１１に示す取付装置の場合には、緊締バンド５０１は、その外側５０４に、該外側５０４から外方に延びるウェブ５１１と、該ウェブ５１１の外側端に隣接して該ウェブ５１１に対して横方向に延び、且つ該ウェブ５１１を越えて両方向に突出する頭部ビード５１２とからなる長さ方向リブ５１０を有する。緊締バンド５０１の取り付けが意図される保持具５０には、図２に示される保持具１０と殆ど同じような、弾力的に屈曲させて離すことができ、且つ互いの方向に向けて屈曲されたフィンガ端部５９を有する２つのフィンガ５７が設けられる。緊締バンド５０１に接触するように押し付けられた際には、フィンガ端部５９は、頭部ビード５１２を越えて滑り落ち、ウェブ５１１の両側における頭部ビード５１２を越えない。
【００３４】
本出願において説明された保持具は、述べられた実施形態を修正することができ、或いは、支持体２２に対する取り付けのために他の手段を有することができる。例えば、保持具には、支持体上の突起に好適な締結可能なクランプ又はループを形成することができる。さらに、本発明による取付装置の形態は、接着又は溶接により、これらがまず支持体に連結される保持具の実施形態を可能にする。図１０に示す保持具４０の場合には、これは、金属製の支持体に溶接された金属溶接ピンであってもよい。
【図面の簡単な説明】
【００３５】
【図１】本発明による取付装置の第１の実施形態のための緊締バンドを示す。
【図２】取付装置のための保持具の正面図である。
【図３】図２による保持具の側面図を示す。
【図４】本発明による取付装置の第１の実施形態の保持具と緊締バンドの間の連結部の断面図を示す。
【図５】本発明による取付装置の第１の実施形態を用いた、プレートに対するケーブルツリーの取り付けを示す。
【図６】本発明による取付装置の第２の実施形態の締結位置の断面図を示す。
【図７】本発明による取付装置の第３の実施形態の締結位置の断面図を示す。
【図８】本発明による取付装置の第４の実施形態の締結位置の断面図を示す。
【図９】本発明による取付装置のための緊締バンドの別の実施形態のセグメントを示す。
【図１０】溝付きの緊締バンドを有する取付装置を示す。
【図１１】締結リブをもつ緊締バンドを有する取付装置を示す。
【符号の説明】
【００３６】
１：緊締バンド
２２：ケーブル
３０：保持具
３５：ロックフィンガ
３６：ロック面
３７：フィンガ
３９：フィンガ端部
４２：ロック
４４：ばね要素
【図１】
2005124395.tif 000003
【図２】
2005124395.tif 000004
【図３】
2005124395.tif 000005
【図４】
2005124395.tif 000006
【図５】
2005124395.tif 000007
【図６】
2005124395.tif 000008
【図７】
2005124395.tif 000009
【図８】
2005124395.tif 000010
【図９】
2005124395.tif 000011
【図１０】
2005124395.tif 000012
【図１１】
2005124395.tif 000013